(57)【要約】【課題】  底部にパーティングに沿って凹溝を設けて折り曲げ線とし、容器の底部が、容易に折り曲がるようにして、扁平に押潰して廃棄できるようにしたブロー成形容器を提供すること。【解決手段】  口部と胴部、底部とを具えたブロー成形容器であって、底部に、パーティングラインに沿って、ほぽ平行な凹溝を設けたこと、または、底部のパーティングラインを、底部の底壁における中心線よりずれるように位置させ、前記中心線上に凹溝を設けたことを特徴とする。  胴部は、前後壁と、底壁に接続する連設壁を具えた側壁とを具備しており、底部および連設壁に凹溝を設けたことを特徴とする。【選択図】  図１
2005075377.tif 000002
【特許請求の範囲】
【請求項１】
口部と胴部、底部とを具えたブロー成形容器であって、
底部に、パーティングラインに沿って、ほぽ平行な凹溝を設けたことを特徴とするブロー成形容器。
【請求項２】
口部と胴部、底部とを具えたブロー成形容器であって、
底部のパーティングラインを、底部の底壁における中心線よりずれるように位置させ、前記中心線上に凹溝を設けたことを特徴とするブロー成形容器。
【請求項３】
胴部は、前後壁と、底壁に接続する連設壁を具えた側壁とを具備しており、
底部および連設壁に凹溝を設けたことを特徴とする請求項１，２記載のブロー成形容器。
【発明の詳細な説明】
【技術分野】
【０００１】
本発明は、扁平状に押潰し可能としたブロー成形容器に関するものである。
【背景技術】
【０００２】
容器の廃棄にあたって、廃棄物の容量を減少させるため、使用済みの容器の押潰しが求められており、ブロー成形容器の胴部に、折り曲げ線を設けて、内容物の使用後に容器を折りたたんだり、押潰して廃棄するようにしたブロー成形容器は、従来より知られている。
【特許文献１】実開平６−６２１５号公報
【特許文献２】特開２００１−３１５７４２号公報
【発明の開示】
【発明が解決しようとする課題】
【０００３】
上記特許文献１、２に記載の従来技術は、折り曲げ線として、前者は断面山形の折り曲げリブ、後者は折り目線条を胴部の所要箇所に設けているが、いずれの容器も折り曲げ線を底壁には配設していないため、底壁の折り曲げが簡単にできないという問題があった。
【０００４】
ブロー成形容器は、一般的には底部のパーティングラインの部分は、ピンチオフ部と重なるため厚肉となっており、底部がパーティングラインに沿って折り曲げられないという問題があった。
【０００５】
本発明は、上記の問題を解決することを課題として、底部にパーティングに沿って凹溝を設けて折り曲げ線とし、容器の底部が、容易に折り曲がるようにして、扁平に押潰して廃棄できるようにしたブロー成形容器を提供することを目的とする。
【課題を解決するための手段】
【０００６】
本発明は上記の課題を達成するために、ブロー成形容器として、口部と胴部、底部とを具えたブロー成形容器であって、底部に、パーティングラインにほぽ平行な凹溝を設けたことを特徴とする構成を採用する。
【０００７】
別実施形態のブロー成形容器として、口部と胴部、底部とを具えたブロー成形容器であって、底部のパーティングラインを、底部の底壁における中心線よりずれるように位置させ、前記中心線上に凹溝を設けたことを特徴とする構成を採用する。
【０００８】
凹溝の実施態様として、胴部は、前後壁と、底壁に接続する連設壁を具えた側壁とを具備しており、底部および連設壁に凹溝を設けたことを特徴とする構成を付加する。
【発明の効果】
【０００９】
容器底部の底壁に凹溝を設けることによって、容器の廃棄時に、容器底部の折りたたみが容易となり、容器を扁平な押潰し廃棄容器とすることができる。
【発明を実施するための最良の形態】
【００１０】
次に、本発明の実施形態について、図面を参照して説明する。
図１において、Ａはブロー成形された容器であり、容器Ａは、下方を拡径部とした口部１と肩部２、該肩部２に続く胴部３と底部４とからなっている。
【００１１】
肩部２は、中央が高くなるように傾斜した稜線５を有する山形状となっており、図１、２に示すように、胴部３は、横断面がほぼ四角形状で、前後壁６と左右の側壁７とからなっている。
【００１２】
前後壁６は、肩部２の山裾部に、弧状の端縁８をもって連続する平坦な壁面となっており、壁面の側端は、側壁７に接続する側端縁９、下端は水平な下端縁１０となっている。
図３に示すように、側壁７は、端縁が、肩部２の側面となる山形の上部端縁１１と、前後壁６と連続する前記側端縁９と、中央部下方に、交点１２を有する二つの傾斜端縁１３とからなる平坦な壁面１４，および二つの傾斜端縁１３から下方に延び、底部４に接続する連設壁１５とから構成されている。
【００１３】
肩部２の稜線５、側壁７の壁面１４の壁面中央には、パーティングラインＰが設けられており、側壁７の壁面中央のパーティングラインＰ上、および傾斜端縁１３には、折り曲げ線１６が形成されている。
図５（ａ）に示すように、折り曲げ線１６は、外方に突出する断面弧状の凸リブ１７によって形成されている。
【００１４】
図３、４に示すように、底部４は、前後壁６の下端縁１０に連続する前後の底端壁１８と、該底端壁１８から山形に隆起するように延びる中央を稜線１９とする底壁２０とからなっている。
【００１５】
底壁２０の稜線１９は、パーティングラインＰ上にあり、底壁２０の稜線１９の中央部の一定範囲には、容器底部４のピンチオフ部２１が形成されている。
【００１６】
底壁２０と胴部３の連設壁１５には、パーティングラインＰに隣接した位置、または少し離れて位置するようにして、パーティングラインＰに沿って、凹溝２２が刻設されている。
【００１７】
次に、本発明容器の作用効果について説明する。
使用後の容器の廃棄にあたって、前後壁６を胴部３の前後から押圧すると、側壁７は、その折り曲げ線１６が外方に延びるように広げられ、胴部３を扁平に押潰すことができる。
【００１８】
底壁２０は、パーティングラインＰに沿って凹溝２２が設けられているので、凹溝２２は底面が上方に移動するように折れ曲がり、底壁２０および連設壁１５は、稜線１９を上方に移動させ、容易に折り重ねられることになる。    
【００１９】
したがって、胴部３が扁平状に押し広げられ、底部４が二つに折りたたまれた押潰し容器を得ることができる。
【実施例１】
【００２０】
次に、パーティングラインに係る別実施例について説明する。
前記実施形態のパーティングラインとピンチオフ部は、容器胴部の側壁および底壁の中央を通る直線上に位置するようにしているが、本実施例は、パーティングラインの位置、とくにピンチオフ部の位置を変えたものである。
以下、相違点を中心に説明する。
【００２１】
図６、７において、Ａａは容器であり、前記実施形態と同様に、口部１ａと肩部２ａ、胴部３ａと底部４ａとからなっており、口部１ａと肩部２ａと胴部３ａは、前期実施形態と同一であるので、同一の符号を付して図示し、詳しい説明を省略する。
【００２２】
底部４ａは、底端壁２５と，該底端壁２５から山形に隆起するように延びる底壁２６とからなっている。
パーティングラインＰａは、容器Ａａの胴部３ａの側壁７ａの中央（中心線）を通る胴部３ａのパーティングラインＰｂから側壁７ａの連設壁２７付近で湾曲して、前方または後方にずれるように形成されており、ピンチオフ部２８も、底部４ａの底壁２６の中心を通る線より所定距離ずれて位置している。
【００２３】
底壁２６と胴部３ａ下方の連設壁２７の稜線は、それぞれ底部４ａの中心線および胴部３ａの側壁７ａの中心線を通るように位置しており、胴部３ａのパーティングラインＰａの延長線上に位置し、底壁２６と連設壁２７には、稜線上に凹溝２９が刻設されている。
【００２４】
使用後の容器の廃棄にあたって、前記実施形態と同様の作用効果を得ることができ、さらに底壁２６、および連設壁２７に設けた凹溝２９は、底部４ａおよび側壁７ａの中心線上に配設されているので、底壁２６は、両底端壁２５間の中心線上を基点として折りたたまれる。
【００２５】
したがって、胴部３ａとともに、底部４ａの折りたたみがきれいに行われるという、特有の効果を得ることができる。
【実施例２】
【００２６】
次に、折り曲げ線に係る別実施例について説明する。
前記実施形態では、折り曲げ線１６として凸リブ１７を設けたが、凸リブ１７に変え、図５（ｂ）に示すように、側壁７の中央、および傾斜端縁１３上に、壁面表面から凹んだ断面弧状の凹リブ３０を設けてもよい。
【産業上の利用可能性】
【００２７】
容器底部に、パーティングラインに近接して凹溝を設け、底部を二つ折りにすることができ、容器を扁平に押潰すことができるので、廃棄容器の減容に有用である。
【図面の簡単な説明】
【００２８】
【図１】本発明容器の斜視図である。
【図２】容器の正面図である。
【図３】容器の側面図である。
【図４】容器の底面図である。
【図５】折り曲げ線に係るリブの実施例を示す断面図で、（ａ）は凸リブ、（ｂ）は凹リブである。
【図６】別実施例の容器の側面図である。
【図７】別実施例の容器の底面図である。
【符号の説明】
【００２９】
Ａ、Ａａ    容器
Ｐ、Ｐａ、Ｐｂ  パーティングライン
１、１ａ    口部
２、２ａ    肩部
３、３ａ    胴部
４、４ａ    底部
５、１９    稜線
６、６ａ    前後壁
７、７ａ    側壁
８          端縁
９          側端縁
１０        下端縁
１１        上部端縁
１２        交点
１３        傾斜端縁
１４        壁面
１５、２７  連設壁
１６        折り曲げ線
１７        凸リブ
１８、２５  底端壁
２０、２６  底壁
２１、２８  ピンチオフ部
２２、２９  凹溝
３０        凹リブ
【図１】
2005075377.tif 000003
【図２】
2005075377.tif 000004
【図３】
2005075377.tif 000005
【図４】
2005075377.tif 000006
【図５】
2005075377.tif 000007
【図６】
2005075377.tif 000008
【図７】
2005075377.tif 000009